(57)【要約】【課題】  本発明は天然粘土鉱物を採掘したときの自然含水比のまま砕石したものを遮水層形成材として使用しているので、従来のように強制乾燥するものに比べ、安価で、砕石時に粉塵が発生するのを効率よく抑えて、施工を容易に行なうことができ、広大な敷地を効率よく遮水でき、急傾斜、緩斜面などの角度が自在で、品質管理が均一化でき、かつ容易な遮水ライニングを得るにある。【解決手段】  天然粘土鉱物を採掘したときの自然含水比のまま２５mm以下に砕石した遮水層形成材を遮水層形成部位に敷設して５ｃｍ〜２５ｃｍの厚さとなるように転圧締め固めしたおおむね透水係数が１×１０−8ｃｍ／Ｓの遮水層と、この遮水層の上面に敷設された遮水機能向上シートと、この遮水機能向上シートの上部に設けられた、前記遮水層に所定の荷重を加えることができる覆土層とで遮水ライニングを構成している。【選択図】  図１
2010043416.tif 000002
【特許請求の範囲】
【請求項１】
天然粘土鉱物を採掘したときの自然含水比のまま２５mm以下に砕石した遮水層形成材を遮水層形成部位に敷設して５ｃｍ〜２５ｃｍの厚さとなるように転圧締め固めしたおおむね透水係数が１×１０−8ｃｍ／Ｓの遮水層と、この遮水層の上面に敷設された遮水機能向上シートと、この遮水機能向上シートの上部に設けられた、前記遮水層に所定の荷重を加えることができる覆土層とからなることを特徴とする遮水ライニング。
【請求項２】
遮水機能向上シートは初期水分を遮水層へ均一に浸潤させる吸出し防止シートであることを特徴とする請求項１記載の遮水ライニング。
【請求項３】
遮水機能向上シートは遮水層に密着して局所的なシート漏水を遮水層で緩衝させる遮水シートであることを特徴とする請求項1記載の遮水ライニング。
【発明の詳細な説明】
【技術分野】
【０００１】
本発明は河川護岸、廃棄物処分場、ため池等の遮水ライニングに関する。
【背景技術】
【０００２】
従来、河川護岸、廃棄物処分場、ため池等はベントナイト混合土で遮水層を形成していた。
【０００３】
ベントナイト混合土は原料土が発生上あるいは立地される近傍の産地の土等を用いるので、その都度変わる。
このようなベントナイト混合土は施工する上で品質のばらつきが多く、現地の立地条件により、工法の選定が必要であり、品質管理が締め固め管理、含水比、ベントナイト混合率の測定に関わるメチレンブルー吸着試験、ファネル粘性試験など、管理項目が多く、複雑で汎用性がないという欠点があった。
また、ベントナイトは通常、粉状状態であり、粉塵や均一な混合が困難であった。
さらに、ブランケットの厚さが１ｍ改良しなければならず、基礎掘削土を入れ替えなくてはならないという欠点があった。
【特許文献１】特許第４０３６９７５号
【発明の開示】
【発明が解決しようとする課題】
【０００４】
本発明は以上のような従来の欠点に鑑み、天然粘土鉱物を採掘したときの自然含水比のまま砕石したものを遮水層形成材として使用しているので、従来のように強制乾燥するものに比べ、安価で、砕石時に粉塵が発生するのを効率よく抑えて、施工を容易に行なうことができ、広大な敷地を効率よく遮水でき、急傾斜、緩斜面などの角度が自在で、品質管理が均一化でき、かつ容易な遮水ライニングを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は天然粘土鉱物を採掘したときの自然含水比のまま２５mm以下に砕石した遮水層形成材を遮水層形成部位に敷設して５ｃｍ〜２５ｃｍの厚さとなるように転圧締め固めしたおおむね透水係数が１×１０−8ｃｍ／Ｓの遮水層と、この遮水層の上面に敷設された遮水機能向上シートと、この遮水機能向上シートの上部に設けられた、前記遮水層に所定の荷重を加えることができる覆土層とで遮水ライニングを構成している。
【発明の効果】
【０００７】
以上の説明から明らかなように、本発明にあっては次に列挙する効果が得られる。
【０００８】
（１）天然粘土鉱物を採掘したときの自然含水比のまま２５ｍｍ以下に砕石した遮水層形成材を用いているので、砕石に強制乾燥が不要で、安価にできるとともに、粉塵の発生を効率よく防止することができる。
【０００９】
（２）前記（１）によって、遮水層形成材を５ｃｍ〜２５ｃｍの厚さとなるように転圧締め固めして遮水層を形成するので、急傾斜、緩斜面など角度が自在で、品質管理が均一化でき、かつ容易に施工することができる。
【００１０】
（３）前記（１）によって、天然粘土鉱物を遮水層形成材として使用するので、遮水層形成部位の地盤を汚染したり、変質させたりするのを確実に防止することができる。
【００１１】
（４）遮水層の上面に遮水機能向上シートを用いているので、該遮水機能向上シートによって、遮水層の遮水機能を向上させることができる。
【００１２】
（５）覆土層によって、遮水層に所定の荷重を加えることができる。
したがって、覆土層の荷重によって、遮水層の遮水性能を向上させることができる。
【００１３】
（６）請求項２も前記（１）〜（５）と同様な効果が得られるとともに、遮水機能向上シートとして吸出し防止シートを用いることにより、初期水分を遮水層へ均一に浸潤させることができる。
【００１４】
（７）請求項３も前記（１） 〜（５）と同様な作用効果が得られるとともに、遮水機能向上シートとして遮水シートを用いることにより、遮水シートが遮水層に密着して局所的なシート漏水を遮水層で緩衝させることができる。
【発明を実施するための最良の形態】
【００１５】
以下、図面に示す本発明を実施するための最良の形態により、本発明を詳細に説明する。
【００１６】
図１ないし図４に示す本発明を実施するための最良の第１の形態において、１は河川護岸、廃棄物処分場、ため池等の設置場所２の地盤３上に設置される本発明の遮水ライニングで、この遮水ライニング１はベントナイトやスメクタイト等の天然粘土鉱物４を採掘したとき自然含水比のまま２５ｍｍ以下に砕石粉砕機５で砕石粉砕した遮水層形成材６を５ｃｍ〜２５ｃｍの厚さとなるようにフィニッシャー、ブルドーザー、モータグレーダー７等で敷き均しし、振動ローラー、タイヤローラー８等で最大乾燥密度の９０％以上で転圧締め固めして敷設されたおおむね透水係数が１×１０−8ｃｍ／Ｓの遮水層９と、この遮水層９の上面に敷設された、初期水分を遮水層９へ均一に浸潤させる遮水機能向上シートとしての吸出し防止シート１０と、この遮水機能向上シートとしての吸出し防止シート１０の上部に設けられた、前記遮水層９に所定の荷重を加えて遮水性能を発揮させるための３０ｃｍ〜１ｍ程度の覆土層１１とで構成されている。
【００１７】
上記構成の遮水ライニング１は、遮水層９に天然粘土鉱物４を採掘したときの自然含水比のまま２５ｍｍ以下に砕石した遮水層形成材６を用いて遮水層9を形成しているので、天然粘土鉱物４を使用するので設置場所２の地盤３を汚染したり、変質させたりするのを防止できるとともに、採掘したときの自然含水比のままで砕石するので、砕石時に乾燥させる等のエネルギーを使用することなく、粉塵の発生を効率よく防止することができる。
遮水層の上面に遮水機能向上シートとしての吸出し防止シート１０を敷設しているので、該吸出し防止シート１０で初期水分を遮水層９へ均一に浸潤させることができる。
また、吸出し防止シート１０の上部に設けた覆土層１１の自重で遮水層９に所定の荷重を加えることができるので、覆土層の自重によって遮水層９に所定の荷重が加わって遮水性能の向上を発揮させることができる。
[発明を実施するための異なる形態]
【００１８】
次に、図５ないし図１０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図５ないし図７に示す本発明を実施するための第２の形態において、前記本発明を実施するための最良の第１の形態と主に異なる点は、遮水層９の上面に遮水機能向上シートとして遮水層９に密着して局所的なシート漏水を遮水層９で緩衝させることができる遮水シート１２を用いた点で、このような遮水機能向上シートとして遮水シート１２を用いた遮水ライニング１Ａにしても、前記本発明を実施するための最良の第１の形態と同様な作用効果が得られる。
【００２０】
図８ないし図１０に示す本発明を実施するための第３の形態において、前記本発明を実施するための最良の第１の形態と主に異なる点は、天然粘土鉱物４を採掘したときの自然含水比のまま２５ｍｍ以下に砕石したものに、所定量のソーダ灰１３を混合した遮水層形成材６Ａを用いて遮水層９Ａを形成した点で、このような遮水層９Ａを用いて構成した遮水ライニング１Ｂにしても、前記本発明を実施するための最良の第１の形態と同様な作用効果が得られる。
【産業上の利用可能性】
【００２１】
本発明は河川護岸、廃棄物処分場、ため池等の遮水ライニングを製造する産業で利用される。
【図面の簡単な説明】
【００２２】
【図１】本発明を実施するための最良の第１の形態の説明図。
【図２】図１の２−２線に沿う断面図。
【図３】本発明を実施するための最良の第１の形態の遮水層の形成状態の説明図。
【図４】本発明を実施するための最良の第１の形態の遮水機能向上シートの設置状態の説明図。
【図５】本発明を実施するための第２の形態の説明図。
【図６】図５の６−６線に沿う断面図。
【図７】本発明を実施するための第２の形態の遮水機能向上シートの設置状態の説明図。
【図８】本発明を実施するための第３の形態の説明図。
【図９】図８の９−９線に沿う断面図。
【図１０】本発明を実施するための第３の形態の遮水層の形成状態の説明図。
【符号の説明】
【００２３】
１、１Ａ、１Ｂ：遮水ライニング、
２：設置場所、                ３：地盤、
４：天然粘土鉱物、            ５：砕石粉砕機、    
６、６Ａ：遮水層形成材、            
７：フィニッシャー、ブルドーザー、モータグレーダー、
８：振動ローラー、            ９、９Ａ：遮水層、
１０：吸出し防止シート、      １１：覆土層、
１２：遮水シート、            １３：ソーダ灰。
【図１】
2010043416.tif 000003
【図２】
2010043416.tif 000004
【図３】
2010043416.tif 000005
【図４】
2010043416.tif 000006
【図５】
2010043416.tif 000007
【図６】
2010043416.tif 000008
【図７】
2010043416.tif 000009
【図８】
2010043416.tif 000010
【図９】
2010043416.tif 000011
【図１０】
2010043416.tif 000012